(57)【要約】      （修正有）【課題】小型・低廉で、周辺の移動物体を検出するマイクロ波動作検出器を提供する。【解決手段】本マイクロ波動作検出器は、基板１０、振動器２０、印刷回路３０、ミキサ４０及び金属カバー８０を包含する。該振動器２０は該基板上に位置して第１信号を提供する。該印刷回路は該基板上に位置し、第１フィルタ３１、ミキサ４０、第２フィルタ３３、第１輻射ユニット３４、第２輻射ユニット及び第３フィルタ３６を包含する。該第１フィルタは該振動器に電気的に接続され、第２フィルタは方向性カプラーに電気的に接続される。第１輻射ユニットは第２フィルタに電気的に接続される。第３フィルタは第２輻射ユニットに電気的に接続される。ドップラー効果により、マイクロ波動作検出器が移動中の物体を検出する。【選択図】図１
0003154156.tif 000002
【実用新案登録請求の範囲】
【請求項１】
マイクロ波動作検出器において、
基板と、
該基板上に固定され、第１収容室、第２収容室、第３収容室、及び第４収容室を包含するカバーと、
該カバーに設置されて周期信号を発生する振動器と、
印刷回路であって、該基板上に位置し、
該振動器に電気的に接続され、周期信号を濾過するのに用いられる第１フィルタと、
該第１フィルタに電気的に接続されて該周期信号を分割して発送信号と対比信号となす分配器と、
該分配器に電気的に接続されて該発送信号を濾過する第２フィルタと、
該第２フィルタに電気的に接続されて濾過後の該発送信号を無線発信する第１輻射ユニットと、
反射信号を無線受信する第２輻射ユニットと、
該第２輻射ユニットに電気的に接続されて該反射信号を濾過する第３フィルタと、
を包含する上記印刷回路と、
該基板上に位置し、該分配器と該第３フィルタに電気的に接続され、濾過後の該対比信号と濾過後の該反射信号を混波して混合信号となし並びに該混合信号を出力するミキサと、
を包含したことを特徴とする、マイクロ波動作検出器。
【請求項２】
請求項１記載のマイクロ波動作検出器において、該第１収容室が該振動器及び該第１フィルタに対応する位置に配置されたことを特徴とする、マイクロ波動作検出器。
【請求項３】
請求項１記載のマイクロ波動作検出器において、該第２収容室が該第２フィルタに対応する位置に配置されたことを特徴とする、マイクロ波動作検出器。
【請求項４】
請求項１記載のマイクロ波動作検出器において、該第３収容室が該第３フィルタに対応する位置に配置されたことを特徴とする、マイクロ波動作検出器。
【請求項５】
請求項１記載のマイクロ波動作検出器において、該第４収容室が斜面を有し、該第４収容室が該分配器と該ミキサに対応する位置に配置されたことを特徴とする、マイクロ波動作検出器。
【請求項６】
請求項１記載のマイクロ波動作検出器において、該第２収容室と該第４収容室の間が溝で連通し、該第３収容室と該第４収容室の間が別の溝で連通することを特徴とする、マイクロ波動作検出器。
【請求項７】
請求項１記載のマイクロ波動作検出器において、該基板が第１表面と第２表面を有し、該カバーが該第１表面の上に固定され、該第１輻射ユニット及び該第２輻射ユニットは該基板の該第２表面に位置することを特徴とする、マイクロ波動作検出器。
【請求項８】
請求項１記載のマイクロ波動作検出器において、該カバーが金属カバーとされたことを特徴とする、マイクロ波動作検出器。
【請求項９】
請求項１記載のマイクロ波動作検出器において、該ミキサが該印刷回路中のＣ形パターンとされたことを特徴とする、マイクロ波動作検出器。
【請求項１０】
請求項１記載のマイクロ波動作検出器において、該基板が複数の孔を有し、該カバーが該複数の孔に対応して配置された複数の突出物を有し、該複数の突出物が対応する該孔に組み合わされて該カバーが該基板に固定されることを特徴とする、マイクロ波動作検出器。
【考案の詳細な説明】
【技術分野】
【０００１】
本考案は一種のマイクロ波形式の検出器に係り、特に移動により発生する微量変化を検出するマイクロ波動作検出器に関する。
【背景技術】
【０００２】
マイクロ波動作検出器の主要な機能は移動中の物体を検出することであり、通常は自動制御システム或いは住居セキュリティーシステムに用いられる。マイクロ波動作検出器の基本の原理はレーダーと同じである。
【０００３】
レーダーは無線電波の反射波を利用して目標の方向と距離を探査する一種の装置であり、その英語表記「Ｒａｄａｒ」は「Ｒａｄｉｏ  Ｄｅｔｅｃｔｉｏｎ  Ａｎｄ  Ｒａｎｇｉｎｇ」を縮小してなり、それは無線電波で方向探査と距離測定する意味を有する。レーダーは多くの用途を有し、例えば、天気予報において暴風雨の検知に用いられる。また、航空船舶の航行の安全面で、管制者が有効に任務を遂行するのを助ける。
【０００４】
レーダーに運用される理論のベースはドップラー効果である。レーダーが特定方向に電磁波を送り、目標がレーダーアンテナに接近すると、反射信号周波数が発射信号周波数より高くなり、反対に、目標がアンテナより離れると、反射信号周波数は発射信号周波数より低くなる。これにより、周波数の数値変化から、目標物とレーダーの相対速度を計算する。このように速度測定に用いられるレーダーはまたドップラーレーダーと称される。
【考案の概要】
【考案が解決しようとする課題】
【０００５】
本考案は一種のマイクロ波動作検出器を提供し、周知の技術の体積が過大で製造コストがかかりすぎる問題を解決する。
【課題を解決するための手段】
【０００６】
本考案のマイクロ波動作検出器は、基板、カバー、振動器、印刷回路、及びミキサを包含する。
【０００７】
該カバーは基板上に固定され、該カバーは第１収容室、第２収容室、第３収容室、及び第４収容室を包含する。
【０００８】
該振動器は該カバー上に位置して周期信号を発生する。
【０００９】
該印刷回路は該基板上に位置し、第１フィルタ、分配器、第２フィルタ、第１輻射ユニット、第２輻射ユニット及び第３フィルタを包含する。該第１フィルタは該振動器に電気的に接続され、該第１フィルタは周期信号を濾過するのに用いられる。該分配器は該第１フィルタに電気的に接続される。該分配器は周期信号を分割して発送信号と対比信号となす。該第２フィルタは分配器に電気的に接続される。該第２フィルタは発送信号を濾過するのに用いられる。該第１輻射ユニットは該第２フィルタに電気的に接続される。該第２フィルタは発送信号を濾過するのに用いられる。該第１輻射ユニットは該第２フィルタに電気的に接続される。該第１輻射ユニットは濾過後の発送信号を無線発信する。該第２輻射ユニットは反射信号を無線受信する。該第３フィルタは該第２輻射ユニットに電気的に接続される。該第３フィルタは反射信号を濾過する。
【００１０】
該ミキサは該基板上に位置し、且つ該ミキサは該分配器と該第３フィルタに電気的に接続される。該ミキサは濾過後の反射信号と濾過後の対比信号を混合して混合信号となし、並びに該混合信号を送出する。
【００１１】
混合信号の周波数に基づき、このマイクロ波動作検出器は周辺に移動中の物体が有るか否かを判断することができる。
【考案の効果】
【００１２】
本考案のマイクロ波動作検出器は並びに小体積で低コストの長所を有する。
【図面の簡単な説明】
【００１３】
【図１】本考案のマイクロ波動作検出器の実施例の分解図である。
【図２】本考案のマイクロ波動作検出器の実施例の別の分解図である。
【図３】本考案のマイクロ波動作検出器の外観表示図である。
【考案を実施するための形態】
【００１４】
図１、２を参照されたい。図１は本考案のマイクロ波動作検出器の実施例の分解図、図２は本考案のマイクロ波動作検出器の実施例の別の分解図である。
【００１５】
本考案のマイクロ波動作検出器は、基板１０、カバー８０、振動器２０、印刷回路３０、及びミキサ４０を包含する。
【００１６】
該振動器２０は該カバー８０上に位置し、安定した周波数と振幅を有する周期信号を発生する。
【００１７】
該印刷回路３０は該基板１０上に位置する。該印刷回路３０は、第１フィルタ３１、分配器３２、第２フィルタ３３、第１輻射ユニット３４、第２輻射ユニット３５、第３フィルタ３６、電源入力部３７、接地部３８と信号出力部３９を包含する。該第１フィルタ３１は該振動器２０に電気的に接続され、該第１フィルタ３１は周期信号を濾過するのに用いられる。該分配器３２は該第１フィルタ３１に電気的に接続され、該分配器３２は周期信号を分割して発送信号と対比信号となす。該第２フィルタ３３は分配器３２に電気的に接続される。該第１輻射ユニット３４は該第２フィルタ３３に電気的に接続され、該第１輻射ユニット３４は濾過後の発送信号を無線発信する。第３フィルタ３６は第２輻射ユニット３５に電気的に接続される。電源入力部３７は外部直流電源に電気的に接続される。接地部３８は電気的に接地される。
【００１８】
そのうち、第１フィルタ３１、分配器３２、第２フィルタ３３、第３フィルタ３６は基板１０の正面１０ａに位置する。第１輻射ユニット３４、第２輻射ユニット３５、電源入力部３７、接地部３８及び信号出力部３９は基板１０の背面１０ｂに位置する。
【００１９】
該ミキサ４０は基板１０上に位置し、且つ該ミキサ４０は該分配器３２、該第３フィルタ３６及び信号出力部３９に電気的に接続される。該ミキサ４０は濾過後の反射信号と濾過後の対比信号を混合して混合信号となし、並びに該混合信号を送出する。混合信号の周波数に基づき、このマイクロ波動作検出器は周辺に移動中の物体が有るか否かを判断することができる。
【００２０】
この実施例において、該カバー８０は金属カバーとされる。該カバー８０にあって振動器２０と第１フィルタ３１に対応する位置に第１収容室８０２が、第２フィルタ３３に対応する位置に第２収容室８０４が、第３フィルタ３６に対応する位置に第３収容室８０６が、分配器３２とミキサ４０に対応する位置に第４収容室８０８が、それぞれ形成され、該第４収容室８０８は斜面８０９を有する。該第２収容室８０４と該第４収容室８０８の間は溝で連通し、第３収容室８０６と第４収容室８０８の間は溝で連通する。
【００２１】
該基板１０は通常、印刷回路板とされるが、その他の種類を採用することも可能であり、且つ基板１０はハードボード或いはフレキシブルボードとされ得る。そのうち、ハードボードの材質はガラス繊維或いはベークライト等の材質とされる。フレキシブルボードの材料はポリイミド、或いはポリエチレンテレフタレート等とされる。
【００２２】
該振動器２０は誘電体共振器、水晶振動器、或いはフィードバック振動器等とされる。
【００２３】
印刷回路３０はリソグラフィーエッチング等の方式で基板１０上に形成される。リソグラフィーエッチング等の方式を用いて、印刷回路３０上に各種のパターンを形成して、第１フィルタ３１、分配器３２、第２フィルタ３３、第１輻射ユニット３４、第２輻射ユニット３５、及び第３フィルタ３６とすることができる。さらに、リソグラフィーエッチング等の方式で印刷回路３０上に印刷線路（図示せず）を形成して、第１フィルタ３１、分配器３２、第２フィルタ３３、第１輻射ユニット３４、第２輻射ユニット３５、及び第３フィルタ３６を電気的に接続できる。
【００２４】
またリソグラフィーエッチング等の方式で印刷回路３０上にＣ形パターンを形成し、分配器３２となすことができる。印刷回路３０上に三つの平行に並列された指状パターンを形成し、第１フィルタ３１となすことができる。印刷回路３０上に三つの平行に並列された指状パターンを形成し、第２フィルタ３３となすことができる。印刷回路３０上に三つの平行に並列された指状パターンを形成し、第３フィルタ３６となすことができる。これにより、三つの平行に並列された指状パターン中、中間の指状パターンは両端の指状パターンより大きい。
【００２５】
ミキサ４０はシングルエンドミキサ、シングルバランスミキサ、或いはデュアルバランスミキサとされ得る。
【００２６】
このほか、基板１０は孔５２を有し、カバー８０は突出物６２を有し、突出物６２が孔５２に対応配置されることで、カバー８０が基板１０上に固定される。
【００２７】
図３は本考案のマイクロ波動作検出器の外観表示図である。カバー８０が基板１０上に固定されて実際の製品とされる。
【００２８】
本考案のマイクロ波動作検出器は振動器２０が安定した周波数と振幅の周期信号を提供し、並びに分配器３２により周期信号が発送信号と対比信号に分割される。第１輻射ユニット３４は発送信号を無線発信し、且つ第２輻射ユニット３５は反射信号を無線受信する。最後に、ミキサ４０が反射信号と対比信号を混合して混合信号を形成して出力する。混合信号の周波数により、このマイクロ波動作検出器は周辺に移動中の物体が有るか否かを検出できる。本考案のマイクロ波動作検出器は一般の印刷回路板等の部品を使用でき、これにより小体積、低コストの長所を達成する。
【符号の説明】
【００２９】
１０  基板        １０ａ  正面        １０ｂ  背面
２０  振動器      ３０  印刷回路      ３１  第１フィルタ
３２  分配器      ３３  第２フィルタ  ３４  第１輻射ユニット
３５  第２輻射ユニット    ３６  第３フィルタ    ３７  電源入力部
３８  接地部      ３９  信号出力部    ４０  ミキサ
５２  孔          ６２  突出物        ８０  カバー
８０２  第１収容室    ８０４  第２収容室    ８０６  第３収容室
８０８  第４収容室    ８０９  斜面
【図１】
0003154156.tif 000003
【図２】
0003154156.tif 000004
【図３】
0003154156.tif 000005